(57)【要約】【課題】ワンタッチで取付開口に装着できる通気ギャラリーを提供する。【解決手段】本体ケース２と、本体ケース２に収容されるフィルター３と、本体ケース２の前面を覆う通気自在なカバー４とを備えている。本体ケース２は、フィルター３を収容する収容部５と、収容部５の開口周縁に張り出るフランジ６と、収容部５の周囲に設けられて、取付開口１の周縁壁に係合する係合爪１６とを備えている。本体ケース２は、左右一対の分割枠２Ａ・２Ｂと、両分割枠２Ａ・２Ｂの分割縁どうしを繋ぐヒンジ片１５とで構成する。屈折した本体ケース２を取付開口１に押し付けて偏平化するだけで装着できる。カバー４は、本体ケース２の収容部５に内嵌するカバー枠２０と、ルーバー壁２１とを有する。カバー４を本体ケース２に組み付けた状態において、カバー枠２０と、ルーバー壁２１の殆どの部分を収容部５内に収容することにより、カバー４が壁面から大きく突出するのを防止できる。【選択図】        図１
2004179203.tif 000002
【特許請求の範囲】
【請求項１】
壁面の取付開口１に装着される本体ケース２と、本体ケース２に収容されるフィルター３と、本体ケース２の前面を覆う通気自在なカバー４とを備えており、
本体ケース２は、フィルター３を収容する通気自在な収容部５と、収容部５の開口周縁に張り出されるフランジ６と、収容部５の周囲壁に設けられて、取付開口１の周縁壁と係合する係合爪１６を備えており、
本体ケース２が、フランジ６および収容部５を横切る分割線で分割された一対の分割枠２Ａ・２Ｂと、両分割枠２Ａ・２Ｂの分割縁どうしを繋ぐヒンジ片１５とで構成してあることを特徴とする通気ギャラリー。
【請求項２】
カバー４と本体ケース２との間に、互いに係合してカバー４の装着状態を維持する弾性変形可能な係合爪２４と、係合段部２５とが設けられており、
係合爪２４をカバー４の外面から操作して、係合爪２４と係合段部２５との係合状態を解除できる請求項１記載の通気ギャラリー。
【請求項３】
カバー４が、本体ケース２の収容部５に内嵌するカバー枠２０と、カバー枠２０の内面を多段状に区分するルーバー壁２１と、カバー枠２０の前面周縁に張り出し形成されるカバーフランジ２２とで構成されており、
カバー４を本体ケース２に組み付けた状態において、カバーフランジ２２が本体ケース２のフランジ６に外接している請求項１または２記載の通気ギャラリー。
【請求項４】
カバー４が、個別に形成された一対の分割枠４Ａ・４Ｂで構成されており、
各分割枠４Ａ・４Ｂの接合縁に、互いに係合して両分割枠４Ａ・４Ｂどうしを屈折可能に連結する一対の連結体４２・４３が形成してあることを特徴とする請求項１、２または３記載の通気ギャラリー。
【請求項５】
壁面の取付開口１に装着される本体ケース２と、本体ケース２に収容されるフィルター３と、本体ケース２の前面を覆う通気自在なカバー４とを備えており、
本体ケース２は、フィルター３を収容する通気自在な収容部５と、収容部５の開口周縁に張り出されるフランジ６と、収容部５の周囲壁に設けられて、取付開口１の周縁壁と係合する係合爪１６を備えており、
本体ケース２が、フランジ６および収容部５の中央を横切る分割線で分割されて、互いに点対称な関係にある一対の分割枠２Ａ・２Ｂで構成されており、
各分割枠２Ａ・２Ｂの接合縁の近傍に、互いに係合して両分割枠２Ａ・２Ｂどうしを屈折可能に連結する一対の連結体３９・４０が形成してあることを特徴とする通気ギャラリー。
【請求項６】
カバー４と本体ケース２との間に、互いに係合してカバー４の装着状態を維持する弾性変形可能な係合爪２４と、係合段部２５とが設けられており、
係合爪２４をカバー４の外面から操作して、係合爪２４と係合段部２５との係合状態を解除できる請求項５記載の通気ギャラリー。
【請求項７】
カバー４が、個別に形成された一対の分割枠４Ａ・４Ｂで構成されており、
各分割枠４Ａ・４Ｂの接合縁に、互いに係合して両分割枠４Ａ・４Ｂどうしを屈折可能に連結する一対の連結体４２・４３が形成してあることを特徴とする請求項５または６記載の通気ギャラリー。
【発明の詳細な説明】
【０００１】
【発明の属する技術分野】
本発明は、屋内に設置される制御盤、計器盤、コンピュータ関連のサーバー等の電気機器ボックスに適用される通気ギャラリーに関する。
【０００２】
【従来の技術】
本発明に関して、ギャラリー本体と、その内部に装填されるフィルターとで構成した通気ギャラリーが公知である（特許文献１参照）。ギャラリー本体は、四角形の枠部の前面開口にルーバー壁を多段状に形成し、前面周縁にフランジ壁を張り出し形成したプラスチック成形品からなる。通気ギャラリーの取り付け時には、壁面の取付開口に枠部を壁外面側から差し込み装填し、枠部内面の４隅に締結した押さえ金具とフランジ壁とで取付開口の周縁壁を内外に挟持することにより、ギャラリー本体を壁面に分離不能に固定できる。強制換気を行う場合には、枠部内面の４隅にインサート固定したナットを利用してファンユニットを取り付けることができる。
【０００３】
【特許文献１】
実公平５−３７５０８号公報（２頁、第１図）
【０００４】
本発明の通気ギャラリーは、取付開口に装着される本体ケースと、本体ケースに収容されるフィルターと、本体ケースの前面開口を覆うカバーとで構成するが、この種の通気ギャラリーは市販されている（リタール株式会社、商品名フィルターファンユニット）。そこでは先の通気ギャラリーと同様に、本体ケースの内面４隅に設けた挿通穴を利用してファンユニットを取り付けることができる。
【０００５】
【発明が解決しようとする課題】
特許文献１に係る通気ギャラリーを壁面に取り付ける場合には、ギャラリー本体を壁外面側から取付開口に装填した後、壁内面側へ回り込んで、ギャラリー本体の内面に４個の押さえ金具をビス止めしなければならず、通気ギャラリーの取り付けに多くの手間が掛かる。取付開口の開口位置によっては、取付開口に装填したギャラリー本体を落下しないように支え保持しておく必要があり、通気ギャラリーの取り付けに２名の作業者を要し、その分余分なコストが掛る不利もある。
【０００６】
この点、市販品の通気ギャラリーの場合には、本体ケースの左右両側に係合爪が設けてあるので、本体ケースを壁外面側から取付開口に押し込むだけで仮組み状態を維持でき、しかも、壁外面側からビスをねじ込んで本体ケースを固定できるので、壁の内面側へ回り込む必要がなく、通気ギャラリーの取り付けを簡便に行える。しかし、本体ケースの前面開口より外面側にルーバー壁を設ける構造を採るので、通気ギャラリーを壁面に装着した状態において、カバーが壁面から大きく（１０ｍｍ以上）突出する不利がある。つまり、カバーに他物が接触しやすく、最悪の場合にはカバーが破損することもある。
【０００７】
本発明の目的は、壁面に対する取り付けの手間を軽減できるうえ、カバーの壁前面からの突出寸法を最小限化でき、従って、他物との接触を防止できる通気ギャラリーを提供することにある。本発明の目的は、本体ケースをワンタッチで仮止め装着でき、従って、より少ない手間で迅速に取り付けられる通気ギャラリーを提供することにある。
【０００８】
【課題を解決するための手段】
本発明の通気ギャラリーは、図１に示すように壁面の取付開口１に装着される本体ケース２と、本体ケース２に収容されるフィルター３と、本体ケース２の前面を覆う通気自在なカバー４とを備えている。本体ケース２は、フィルター３を収容する通気自在な収容部５と、収容部５の開口周縁に張り出されるフランジ６と、収容部５の周囲に設けられて、取付開口１の周縁壁と係合する係合爪１６を備えている。本体ケース２は、フランジ６および収容部５を横切る分割線で分割された一対の分割枠２Ａ・２Ｂと、両分割枠２Ａ・２Ｂの分割縁どうしを繋ぐヒンジ片１５とで構成してあることを特徴とする。
【０００９】
上記のカバー４と本体ケース２との間には、互いに係合してカバー４の装着状態を維持する弾性変形可能な係合爪２４と、係合段部２５とが設けられる。以て、係合爪２４をカバー４の外面から操作して、係合爪２４と係合段部２５との係合状態を解除できるように構成する。
【００１０】
カバー４は、本体ケース２の収容部５に内嵌するカバー枠２０と、カバー枠２０の内面を多段状に区分するルーバー壁２１と、カバー枠２０の前面周縁に張り出し形成されるカバーフランジ２２とで構成する。カバー４を本体ケース２に組み付けた状態において、カバーフランジ２２は本体ケース２のフランジ６に外接する。
【００１１】
カバー４は、個別に形成された一対の分割枠４Ａ・４Ｂで構成する。各分割枠４Ａ・４Ｂの接合縁に、互いに係合して両分割枠４Ａ・４Ｂどうしを屈折可能に連結する一対の連結体４２・４３を形成する。
【００１２】
本発明の別の通気フランジは、壁面の取付開口１に装着される本体ケース２と、本体ケース２に収容されるフィルター３と、本体ケース２の前面を覆う通気自在なカバー４とを備えている。本体ケース２は、フィルター３を収容する通気自在な収容部５と、収容部５の開口周縁に張り出されるフランジ６と、収容部５の周囲壁に設けられて、取付開口１の周縁壁と係合する係合爪１６を備えている。本体ケース２は、フランジ６および収容部５の中央を横切る分割線で分割されて、互いに点対称な関係にある一対の分割枠２Ａ・２Ｂで構成する。各分割枠２Ａ・２Ｂの接合縁の近傍に、互いに係合して両分割枠２Ａ・２Ｂどうしを屈折可能に連結する一対の連結体３９・４０を形成する。
【００１３】
カバー４と本体ケース２との間に、互いに係合してカバー４の装着状態を維持する弾性変形可能な係合爪２４と、係合段部２５とを設ける。係合爪２４をカバー４の外面から操作して、係合爪２４と係合段部２５との係合状態を解除できるように構成する。
【００１４】
カバー４は、個別に形成された一対の分割枠４Ａ・４Ｂで構成する。各分割枠４Ａ・４Ｂの接合縁に、互いに係合して両分割枠４Ａ・４Ｂどうしを屈折可能に連結する一対の連結体４２・４３を形成する。
【００１５】
【発明の作用効果】
本発明に係る通気ギャラリーにおいては、一対の分割枠２Ａ・２Ｂと、両分割枠２Ａ・２Ｂの分割縁どうしを繋ぐヒンジ片１５とで本体ケース２を構成し、ヒンジ片１５中心にして山形に屈折した本体ケース２を取付開口１に当て嵌めながら、屈曲部分を押圧してケース全体を扁平化することにより、本体ケース２を取付開口１にワンタッチで仮組み装填できるようにするので、本体ケース２の壁面に対する取り付けの手間を省いて、通気ギャラリーの取り付けをより少ない手間で迅速に行える。本体ケース２を取付開口１に装着した状態においては、係合爪１６が取付開口１の周縁壁と係合して、本体ケース２の仮組み状態を維持できるので、従来の通気ギャラリーにおいて不可欠であった、本体ケース２を仮組み姿勢のままで支持する作業者を省いて、一人の作業者のみで本体ケース２の組み付けを行うことができ、その分だけ通気ギャラリーの取り付け作業に要するコストを削減できる（請求項１）。
【００１６】
本体ケース２に装着したカバー４は、外部振動を受け、あるいは他物が接当するなど、外力を受けて本体ケース２から分離脱落するおそれがある。こうしたカバー４の脱落とフィルター３の分離を確実に防止するために、カバー４と本体ケース２との間に、互いに係合する係合爪２４と、係合段部２５とを設けて、カバー４の分離脱落を阻止している。フィルター３は、必要に応じて交換し、あるいは洗浄するなどの保守や点検を行う必要がある。その場合には、カバー４を本体ケース２から取り外す必要があり、そのために、係合爪２４をカバー４の外面から操作して、係合爪２４と係合段部２５との係合状態を解除できるようにしている（請求項２）。
【００１７】
収容部５に内嵌するカバー枠２０と、カバー枠２０の内面のルーバー壁２１と、カバーフランジ２２とで構成したカバー４によれば、カバー４を本体ケース２に組み付けた状態において、カバー枠２０とルーバー壁２１の大半の部分を収容部５内に収容して、壁外面に突出する部材をカバーフランジ２２と本体ケース２のみに限ることができるので、カバー４の壁面からの突出寸法を最小限化でき、従って、カバー４が他物と接触するのを極力防止できる通気ギャラリーが得られる（請求項３、請求項６）。
【００１８】
個別に形成した一対の分割枠４Ａ・４Ｂで構成したカバー４によれば、各分割枠４Ａ・４Ｂどうしを連結体４２・４３で連結することにより、両分割枠４Ａ・４Ｂどうしを屈折できるので、山形に屈折したカバー４を本体ケース２の収容部５に当て嵌めながら、屈曲部分を押圧してカバー全体を扁平化することにより、カバー４を本体ケース２に対してワンタッチで装填でき、その分だけ取り付けの手間を省くことができる（請求項４、請求項７）。
【００１９】
本体ケース２を、互いに点対称な関係にある一対の分割枠２Ａ・２Ｂで構成した通気ギャラリ−によれば、両分割枠２Ａ・２Ｂを同一部品化できるので、本体ケース２の全体を同時成形する場合に比べて、金型の製作費用を節約できるうえ、分割枠２Ａ・２Ｂの１個あたりの成形費用をも節約して、通気ギャラリーを低コストで提供できる。分割枠２Ａ・２Ｂのいずれか一方が破損した場合にでも、破損した分割枠を交換すればよく、本体ケース２の全体を交換する場合に比べて、交換コストを削減できる。一対の連結体３９・４０で連結した両分割枠２Ａ・２Ｂは互いに屈折できるので、山形に屈折した本体ケース２を取付開口１に当て嵌めながら、屈曲部分を押圧してケース全体を扁平化することにより、本体ケース２を取付開口１にワンタッチで仮組み装填でき、先の本体ケース２と同様に壁面に対する取り付けの手間を省くことができる（請求項５）。
【００２０】
【実施例】
（実施例１）  図１ないし図６に、本発明に係る通気ギャラリーの実施例を示す。図２において、通気ギャラリーは、電気機器ボックスの壁面に開口した取付開口１に装着される本体ケース２と、本体ケース２に収容される防塵用のフィルター３と、本体ケース２の前面の開口を覆う通気自在なカバー４とで構成する。
【００２１】
図２および図３において本体ケース２は、フィルター３を収容する通気自在な収容部５と、収容部５の前面の開口周縁に張り出されるフランジ６とを備えている。収容部５は、四角枠状の周壁８と、周壁８の後面開口を通気自在に区分する格子体９と、格子体９の後面４隅を塞ぐ三角形状の取付壁１０とで構成してある。フランジ６の４隅には本体ケース２を取付開口１の周縁壁に締結するためのビス穴１１が形成してある。各取付壁１０にも同様のビス穴１２を形成するが、このビス穴１２は後述するファンユニット３０を装着する場合に使用する。
【００２２】
本体ケース２の取付開口１に対する装着をワンタッチで行うために、本体ケース２は左右一対の分割枠２Ａ・２Ｂで構成する。図１および図２に示すように、分割枠２Ａ・２Ｂは、上下のフランジ６と収容部５との左右中央を通る縦方向の分割線で左右均等に区分されており、それぞれの分割縁の上下３個所が逆Ｖ字状のヒンジ片１５で繋いである。なお、両分割枠２Ａ・２Ｂとヒンジ片１５との三者は同時に一体成形される。
【００２３】
図１に示すように両分割枠２Ａ・２Ｂは、ヒンジ片１５を中心にして山形に屈折でき、全体を扁平にした状態では、両分割枠２Ａ・２Ｂの分割縁どうしが密着して、分割されたフランジ６、および格子体９どうしを連続させることができる。なお、図３に示すように、自由状態における左右の分割枠２Ａ・２Ｂは、小さな隙間を介して隣接している。
【００２４】
本体ケース２を取付開口１に装着するとき、本体ケース２の装着状態を維持するために、左右で対向する両分割枠２Ａ・２Ｂの周壁８外面に、それぞれ取付開口１の周縁壁と係合する係合爪１６を一体に形成し、さらに、周壁８の上下の分割縁寄りに先の周縁壁と係合する係合片１７を一体に膨出形成している。図１において係合爪１６はフランジ６の後面から周壁８に沿って突設される爪腕１６ａと、爪腕１６ａに多段状に設けた係合段部１６ｂを備えており、爪腕１６ａの左右方向への弾性変形を容易化するために、係合爪１６は周壁８から分離してある。係合段部１６ｂを多段状に形成するのは、電気機器ボックスの壁面の厚みの違いに対応するためである。係合片１７は、フランジ６と協同して取付開口１の周縁壁を内外から挟持する（図６参照）。
【００２５】
フィルター３は、連続気泡性の発泡プラスチックシート、あるいは繊維を絡ませて形成したマットなどを素材にして形成してあり、外形が先の収容部５の内面形状に合わせて正方形状に形成してある。目詰まりによって通気量が低下するのを是正するために、フィルター３は一定期間ごとに新規フィルターと交換される。
【００２６】
カバー４は、本体ケース２の収容部５に嵌まり込む四角形状のカバー枠２０と、カバー枠２０の内面を多段状に区分するルーバー壁２１と、カバー枠２０の前面周縁に張り出されるカバーフランジ２２とを一体に形成したプラスチック成形品からなる。カバーフランジ２２の周縁には、本体ケース２のフランジ６の周縁外面を覆い隠す周縁壁２３が一体に形成してある。
【００２７】
本体ケース２に対するカバー４の装着状態を維持するために、両者２・４間に互いに係合する係合爪２４と係合段部２５とを設ける。詳しくは、図３および図６に示すように、本体ケース２のフランジ６の一側隅寄りに係合爪２４を設け、カバー枠２０の側に係合段部２５を設ける。係合爪２４は、カバーフランジ２２の開口を介して、カバー外面に臨んでいるので、必要時には開口を介して係合爪２４を係合解除操作することにより、カバー４を本体ケース２から取り外すことができる。
【００２８】
以上のように構成した通気ギャラリーの組み立て手順を以下に説明する。まず、本体ケース２を取付開口１に組む。自由状態の両分割枠２Ａ・２Ｂを、図１に示すようにヒンジ片１５を中心にして山形に屈折したうえで、周壁８の左右壁を取付開口１内に嵌め込む。次に、矢印で示すように屈折中心部分を押圧して、本体ケース２の全体を扁平にしながら、周壁８の上下壁を取付開口１内に嵌め込む。周壁８の全体が取付開口１内に嵌まり込んだ状態では、両分割枠２Ａ・２Ｂの分割縁どうしが密着し、ヒンジ片１５は収容部５の内面に突出する。つまり、本体ケース２は、屈折中心部分を押圧するだけのワンタッチ操作で、取付開口１に仮組み装着できる。収容部５の内面に突出するヒンジ片１５は、フィルター３の遊動を防ぐことにも役立つ。
【００２９】
図４に示すように、周壁８の左右に設けた４個の係合爪１６は、それぞれ取付開口１の周縁壁の内面に係合して、フランジ６が壁面から浮き上がるのを阻止する。同様に上下の係合片１７も取付開口１の周縁壁の内面に係合する。このとき左右の分割枠２Ａ・２Ｂには、ヒンジ片１５の弾性によって互いに離れようとする力が作用し、互いに突っ張り合う。そのため、係合爪１６は取付開口１の周縁壁との係合状態を維持でき、仮組み状態を維持し続けることができる。
【００３０】
上記の状態で、４隅のビス穴１１に挿通したビス２９でフランジ６を締結固定する。次に、収容部５にフィルター３を嵌め込み装着した後、カバー枠２０を収容部５に装填することにより、フィルター３がカバー枠２０の後面と格子体９とで前後に挟み保持され、カバーフランジ２２がフランジ６に密着する。このように、カバー４を本体ケース２に装着した状態においては、図５に示すように、両フランジ６・２２の合計厚み分が壁面から突出するだけに過ぎず、従来のこの種の通気ギャラリーに比べて、カバー４の突出寸法を小さくできる。
【００３１】
カバー４を本体ケース２に組み付けた状態では、図６に示すように両者２・４間に設けた係合爪２４と係合段部２５とが係合するので、カバー４が本体ケース２から分離することはない。フィルター３を交換する場合には、開口２６に臨んでいる係合爪２４を係合解除操作して、カバー４の全体を本体ケース２から取り外し、新旧のフィルター３を交換した後、カバー４を再装着する。通気ギャラリーは単体で使用できるが、図１１（ａ）に示すように複数個の通気ギャラリーを上下に隣接する状態で取り付けて使用することができる。
【００３２】
電気機器ボックス内を強制換気する場合には、ファンユニット３０を本体ケース２の内面側に装着する。図４に示すように、ファンユニット３０は、導風筒を兼ねるファン枠３１の内部に扁平なモーター３２と軸流ファン３３とを配置したユニット部品からなり、ファン枠３１の４隅の取付ブラケットにビス穴３５が設けてある（図５参照）。ビス３６を収容部５側からビス穴１２を介してビス穴３５にねじ込むことにより、ファンユニット３０を本体ケース２と一体化できる。なお、ファンユニット３０を併用しない場合には、フランジ６をビス２９で締結固定する必要はなく、取付開口１の周縁壁と係合する係合爪１６の係合力のみで本体ケース２の装着状態を維持し続けることができる。
【００３３】
（実施例２）  図７および図８に、本発明の通気ギャラリーの別の実施例を示す。そこでは、フランジ６および収容部５の左右中央を縦方向の分割線で分割した、左右一対の分割枠２Ａ・２Ｂで本体ケース２を構成する点が、先の実施例と基本的に異なる。左右一対の分割枠２Ａ・２Ｂは、同一部品であって互いに点対称な関係にある。各分割枠２Ａ・２Ｂの接合縁の近傍には、互いに係合して両分割枠２Ａ・２Ｂどうしを連結する一対の連結体３９・４０が形成してある。
【００３４】
片方の連結体３９は格子枠９と一体に形成した丸軸からなり、他方の連結体４０は先の丸軸に係合するＵ字状のソケットからなる。各分割枠２Ａ・２Ｂにおいては、丸軸状の連結体３９とソケット状の連結体４０とが互いに対の関係となるうえ、それぞれの対の連結中心が一致しているので、これらを係合連結することにより、屈折可能な本体ケース２が得られ、先の実施例と同様にして、本体ケース２をワンタッチで取付開口１に装着できる。他は先の実施例と同じであるので、同じ部材に同じ符号を付してその説明を省略する。以下の実施例においても同じ扱いとする。
【００３５】
（実施例３）  図９および図１０はカバー４の別の実施例を示す。そこでは、カバー枠２０とカバーフランジ２２を横方向の分割線で分割して得られる上下一対の分割枠４Ａ・４Ｂでカバー４を構成した。上下の分割枠４Ａ・４Ｂの接合縁には、互いに係合して両分割枠４Ａ・４Ｂどうしを連結する一対の連結体４２・４３が形成してある。片方の連結体４２は上半分側のカバー枠２０の接合縁に形成した丸軸からなり、他方の連結体４３は下半分側のカバー枠２０の接合縁に形成したＵ字状のソケットからなる。カバー枠２０の上下壁には、弾性変形可能な係合脚４４が左右一対ずつ形成してある。
【００３６】
両連結体４２・４３を係合連結することにより、屈折可能なカバー４が得られ、先の実施例と同様にして、カバー４をワンタッチで本体ケース２に装着でき、装着状態における係合脚４４は、図１０に示すように、本体ケース２に通設した通口４５を介してケース外へ突出し、取付開口１の周縁壁と係合する。従って、図１１（ｂ）に示すように、複数個の通気ギャラリーを左右横長の取付開口１に装着する場合には、係合脚４４が取付開口１の周縁壁と係合することによって、カバー４と本体ケース２の両者を分離不能に固定できることになる。
【００３７】
実施例１においては、左右の分割枠２Ａ・２Ｂを左右均等に分割したが、その必要はなく、分割枠の一方を他方より大きく形成するなど、非対称形状に形成することができる。また、分割線は縦、横、斜め、のいずれでも良く、必要があれば湾曲線や波形の分割線に沿って分割することができる。係合爪２４を周壁８の側に形成して、その爪遊端をフランジ６と対向させることができる。
【００３８】
実施例２で説明した分割枠２Ａ・２Ｂは、ヒンジボスを格子枠９と一体に設けておいて、上下に隣接するヒンジボスどうしをピンや軸で連結することができる。
【図面の簡単な説明】
【図１】本体ケースの装着要領を示す断面図である。
【図２】通気ギャラリーの分解斜視図である。
【図３】本体ケースの正面図である。
【図４】図５におけるＡ−Ａ線断面図である。
【図５】通気ギャラリーの縦断側面図である。
【図６】カバーの固定構造を示す断面図である。
【図７】本体ケースの別の実施例を示す正面図である。
【図８】連結体どうしを連結した状態の横断平面図である。
【図９】カバーの別の実施例を示す縦断側面図である。
【図１０】カバーの装着状態を示す断面図である。
【図１１】通気ギャラリーの使用例を示す正面図である。
【符号の説明】
１  取付開口
２  本体ケース
２Ａ・２Ｂ  分割枠
３  フィルター
４  カバー
５  収容部
６  フランジ
１６  係合爪
２０  カバー枠
２１  ルーバー壁
２２  バーフランジ
２４  係合爪
２５  係合段部
３９・４０  連結体
【図１】
2004179203.tif 000003
【図２】
2004179203.tif 000004
【図３】
2004179203.tif 000005
【図４】
2004179203.tif 000006
【図５】
2004179203.tif 000007
【図６】
2004179203.tif 000008
【図７】
2004179203.tif 000009
【図８】
2004179203.tif 000010
【図９】
2004179203.tif 000011
【図１０】
2004179203.tif 000012
【図１１】
2004179203.tif 000013